(57)【要約】【課題】認証コードを入力する操作が他人に見られていた場合でも、認証コードの漏えいを防止できる入力装置を提供する【解決手段】本発明に係る入力装置は、認証コードを入力する入力装置であって、前記認証コードを入力するための入力コードを表示する表示部と、前記表示部に表示される入力コードに対する入力を検出するタッチセンサと、前記タッチセンサのタッチ面に対する押圧荷重を検出する荷重検出部と、前記タッチセンサにより入力コードに対して入力が検出された際に、該入力コードと、前記荷重検出部により検出される押圧荷重と、に基づく認証コードを受け付けるように制御する制御部と、を備える。【選択図】図１
2011070463.tif 000002
【特許請求の範囲】
【請求項１】
認証コードを入力する入力装置であって、
前記認証コードを入力するための入力コードを表示する表示部と、
前記表示部に表示される入力コードに対する入力を検出するタッチセンサと、
前記タッチセンサのタッチ面に対する押圧荷重を検出する荷重検出部と、
前記タッチセンサにより入力コードに対して入力が検出された際に、該入力コードと、前記荷重検出部により検出される押圧荷重と、に基づく認証コードを受け付けるように制御する制御部と、
を備える入力装置。 
【請求項２】
請求項１に記載の入力装置において、
前記制御部は、
前記入力コードに対する入力が検出された際に、前記荷重検出部により検出される押圧荷重により前記認証コードを変化させることを特徴とする入力装置。 
【請求項３】
請求項２に記載の入力装置において、該入力装置は更に、
前記タッチセンサのタッチ面を振動させる触感呈示部を備え、
前記制御部は、
前記タッチ面を押圧している押圧物に対して、触感により前記押圧荷重による認証コードの変化を呈示するように前記触感呈示部を制御することを特徴とする入力装置。
【発明の詳細な説明】
【技術分野】
【０００１】
本発明は、入力装置に関するものであり、特に、認証コードを入力する入力装置に関するものである。
【背景技術】
【０００２】
金融機関やコンビニエンスストアなどに設置されている自動取引装置のＡＴＭ（Automated Teller Machine）やクレジットカードなどを利用するためには、カードの持ち主である顧客（利用者）しか知りえない暗証番号（認証コード）の入力が求められる。しかしながら、昨今、認証コードの入力時に、認証コードが覗き見や盗撮により漏えいし、漏えいした認証コードによる不正取引が増加傾向にある。
【０００３】
このため、近年、認証コードに対するセキュリティが重要視されており、様々な対策が講じられている。例えば、下記の特許文献１には、認証コードを入力する際に、他人に指先を目視されていた場合においても、認証コードの漏えいを防止できる暗証番号入力装置が開示されている。
【０００４】
この暗証番号入力装置は、表示部と、テンキーを備える入力部と、情報処理を実行する情報処理部と、を備えており、図８に示すような一連の情報処理が情報処理部で行われている。顧客は暗証番号（認証コード）をそのまま入力するのではなく、暗証番号入力装置側から出された指示に従い、暗証番号に所定の演算を行って得られた数値を入力するものである。
【０００５】
例えば図８に示すように暗証番号が「１２３４」の場合、まず、情報処理部により各桁に対する演算手法とオペランドが決定される。そして、情報処理部が、「あなたの暗証番号の１桁目に２を加えた値を入力し実行キーを押してください」という指示を表示部に表示させる。顧客は、１回目の数値入力操作として、表示部に表示された指示に従い、暗証番号に１桁目である「１」に、情報処理部により決定されたオペランドの「２」を加えた「３」を入力部から入力し、実行キーを押す。顧客はこのような動作を４桁分繰り返し、情報処理部はこの入力された数値から逆算を行って元の暗証番号を導きだして認証を行う。
【０００６】
このように、特許文献１に記載の暗証番号入力装置では、顧客が入力する数字キーと暗証番号とが異なるため、暗証番号を入力する際に、たとえ他人に指先を直接目視されていたとしても、暗証番号を盗まれることがない暗証番号入力装置が存在する。
【先行技術文献】
【特許文献】
【０００７】
【特許文献１】特開２００８−１４０００９号公報
【発明の概要】
【発明が解決しようとする課題】
【０００８】
しかしながら、利用者が、暗証番号（認証コード）を直接入力する入力装置においては、押圧されたキーに対応する入力コードがそのまま受け付けられてしまう。つまり、押圧されたキーと入力装置が受け付ける入力コードとが対応しているため、押圧されているキーを覗き見や盗撮することにより、認証コードが漏えいするという問題がある。
【０００９】
また、特許文献１のように、直接、認証コードを入力していないとしても、表示部に表示されている指示が見られていたり、盗撮されていたりした場合には、計算により簡単に認証コードを求めることが可能であり、他人に認証コードが漏えいしてしまうという問題点がある。
【００１０】
これは、押圧されたキーに対応する入力コードがそのまま受け付けられてしまうため、覗き見や盗撮された場合に、押圧されているキーから入力装置が受け付ける入力コードが他人に分かってしまい、その入力コードと表示部に表示された指示とに基づいて計算を行うことにより、認証コードが導き出されてしまうためである。
【００１１】
本発明の目的は、認証コードを入力する操作が他人に見られていた場合でも、認証コードの漏えいを防止できる入力装置を提供することである。
【課題を解決するための手段】
【００１２】
上記目的を達成する請求項１に係る発明は、
認証コードを入力する入力装置であって、
前記認証コードを入力するための入力コードを表示する表示部と、
前記表示部に表示される入力コードに対する入力を検出するタッチセンサと、
前記タッチセンサのタッチ面に対する押圧荷重を検出する荷重検出部と、
前記タッチセンサにより入力コードに対して入力が検出された際に、該入力コードと、前記荷重検出部により検出される押圧荷重と、に基づく認証コードを受け付けるように制御する制御部と、
を備えることを特徴とするものである。
【００１３】
請求項２に係る発明は、請求項１に記載の入力装置において、
前記制御部は、前記入力コードに対する入力が検出された際に、前記荷重検出部により検出される押圧荷重により前記認証コードを変化させることを特徴とするものである。
【００１４】
請求項３に係る発明は、請求項２に記載の入力装置において、該入力装置は更に、
前記タッチセンサのタッチ面を振動させる触感呈示部を備え、
前記制御部は、前記タッチ面を押圧している押圧物に対して、触感により前記押圧荷重による認証コードの変化を呈示するように前記触感呈示部を制御することを特徴とするものである。
【発明の効果】
【００１５】
本発明によれば、認証コードを入力する操作が他人に見られていた場合でも、認証コードの漏えいを防止できる入力装置を提供することができる。
【図面の簡単な説明】
【００１６】
【図１】本発明の一実施の形態に係る入力装置の概略構成を示すブロック図である。
【図２】本発明に係る入力装置の触感発生の概念図を示す図である。
【図３】本発明の一実施の形態に係る入力装置の表示部の表示例を示す図である。
【図４】本発明の一実施の形態に係る入力装置の動作を示すフローチャートである。
【図５】本発明の一実施の形態に係る入力装置において、認証コードを受け付ける際の押圧荷重の変化の一例を示す図である。
【図６】本発明の一実施の形態に係る入力装置において、認証コードを受け付ける際の押圧荷重の変化の一例を示す図である。
【図７】従来の入力装置における認証方法を示す図である。
【発明を実施するための形態】
【００１７】
以下、本発明の各実施の形態について、図面を参照して説明する。以下の各実施の形態においては、本発明の入力装置の一例として、銀行のＡＴＭ、ＣＡＴ（Credit Authorization Terminal）やＣＣＴ（Credit Center Terminal）などのクレジットカード端末のような認証コードを入力する入力装置であって、タッチパネルを備えているものを想定して説明する。しかしながら、本発明の入力装置は、これら上述した装置に限定されるものではなく、例えば、駅の乗車券販売機、デスクトップ型ＰＣなどの、入力装置を備える種々の装置や、携帯電話やＰＤＡ（Personal Digital Assistant）、ノート型ＰＣ、ミニノート型ＰＣなど、入力装置を備える携帯端末とすることもできる。
【００１８】
さらに、本発明の入力装置は、後述するように、タッチパネルを有する装置に限定されるものでもない。本発明は、利用者の押圧入力を受け付けるタッチパネルまたは押しボタン（あるいはキー）などのスイッチと、そのスイッチにかかる押圧荷重を検出できる機能を有するものであれば、任意の入力装置に適用することができる。
【００１９】
図１は、本実施の形態に係る入力装置１の内部構成を概略的に示す機能ブロック図である。図１に示すように、入力装置１は、タッチパネル２０、荷重検出部１２、触感呈示部１３、記憶部１５、及び、全体の動作を制御する制御部１６を有する。
【００２０】
本実施の形態では、タッチパネル２０は、タッチセンサ１１と、表示部１４とを備えている。このタッチパネル２０は、利用者の入力を受け付けるタッチセンサ１１を、表示部１４の前面に重畳させて配設することにより構成する。
タッチパネル２０のタッチセンサ１１は、通常は表示部１４の前面に配置して、表示部１４に表示される入力コードに対する利用者の指やスタイラスペンなどの押圧物による押圧入力（タッチ入力）を、対応するタッチセンサ１１のタッチ面により受け付ける。このタッチセンサ１１は、例えば抵抗膜方式、静電容量方式、光学式等の公知の方式のもので構成する。
【００２１】
荷重検出部１２は、タッチセンサ１１のタッチ面に対する押圧荷重を検出するもので、例えば、歪みゲージセンサや圧電素子等の荷重に対して反応する素子を用いて構成する。利用者は認証コードを入力する際に、タッチセンサ１１のタッチ面を押圧して入力を行う。荷重検出部１２は、この押圧入力の際にタッチ面にかかる押圧荷重を検出する。
【００２２】
このように、本願では、利用者が押圧入力をする際に使用する指やスタイラスペンなどの押圧する対象と、タッチパネル２０（タッチセンサ１１）と、が接触した際の荷重を「押圧荷重」と称する。また、ここでいう認証コードとは、例えば暗証番号など、利用者本人しか知りえないコードであり、一般的には本人確認のために用いられるものである。認証コードは１つ又は複数の入力コードにより構成され、一般的には、一桁又は複数桁の文字又は数字などからなるものである。
【００２３】
なお、本願は１つの入力コードが押圧荷重に応じて複数の認証コードを有している。例えば、押圧荷重が、軽いものと重いものの２つに分けられていて入力された入力コードが「２」である場合、検出される押圧荷重が軽い時は入力コード「２」の第１段階の入力として認証コード「２」を受け付けて、押圧荷重が重い時は入力コード「２」の第２段階の入力として認証コード「２´」を受け付ける。なお、「´」は第１段階と第２段階の入力が異なるものであることを示すものであり、本願では第２段階の入力に付けるものとする。
【００２４】
触感呈示部１３は、タッチセンサ１１のタッチ面を振動させるもので、例えば圧電振動子等を用いて構成する。この触感呈示部１３が振動することにより、タッチ面を押圧している利用者の指など押圧物に対して振動を伝えることができる。
【００２５】
なお、荷重検出部１２及び触感呈示部１３を、圧電素子を用いて構成する場合は、圧電素子を共用して、荷重検出部１２および触感呈示部１３を構成することができる。
【００２６】
また、タッチパネル２０の表示部１４は、認証コードを入力するための入力コード（ひらがな、カタカナ、漢字、英語、数字、記号など）を表示するもので、この入力コードは、例えば、押しボタンスイッチ（プッシュ式ボタンスイッチ）のような入力ボタン等の形をしている。そして、表示部１４は、例えば、液晶表示パネルや有機ＥＬ表示パネル等を用いて構成する。
【００２７】
記憶部１５は、入力された各種情報や認証コードなどを記憶するとともに、ワークメモリなどとしても機能する。アプリケーションおよび入力された各種情報などを記憶する。
【００２８】
制御部１６は、入力装置１の各機能ブロックをはじめとして入力装置１の全体の制御及び管理を行う。ここで、制御部１６は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることができる。
【００２９】
以上のような構成により、荷重検出部１２が検出する押圧荷重に段階的な閾値を設定すれば、入力装置１は、利用者による押圧入力の押圧荷重に応じて、複数段階の入力を受け付けることができる。
【００３０】
図２（Ａ）は、図１に示した入力装置１の、タッチパネル２０、荷重検出部１２、および、触感呈示部１３の実装構造の一例を示す図である。なお、図２（Ａ）は、入力装置１の要部断面図を示す。
【００３１】
図２（Ａ）においては、利用者が、認証コードを入力する際に、表示部１４に表示された入力コードに対応する位置のタッチセンサ１１のタッチ面を押圧している様子を表している。
【００３２】
タッチセンサ１１は、利用者による入力の押圧を検出する。タッチセンサ１１が押圧されると、押圧部分が押圧力に応じて微少に撓む（歪む）構造となっている。荷重検出部１２は、利用者がタッチセンサ１１を押圧している指と、タッチセンサ１１のタッチ面とが接触した際の荷重を検出する。このため、荷重検出部１２は、タッチセンサ１１にかかる押圧力に基づく押圧荷重を伝達するように、タッチセンサ１１の背面に配置する。触感呈示部１３は、荷重検出部１２が検出した押圧荷重に基づいて、適切なタイミングで利用者の指に触感を呈示する。このため、触感呈示部１３は、タッチセンサ１１に振動を伝達できるように、例えばタッチセンサ１１に接触するように配置する。また、タッチセンサ１１が入力コードに対する入力を検出している時に、触感呈示部１３は、タッチセンサ１１を振動させ指先に触感を呈示する。この触感呈示部１３が呈示する触感は、制御部１６が、荷重検出部１２により検出された押圧荷重に基づいて制御する。この際、制御部１６が行う制御については後述する。
【００３３】
呈示する触感は、何らかの触感であればよく、周波数、周期（波長）、振幅、波形を呈示する触感に応じて適宜設定することができる。また、利用者の操作感を向上させるようなよりリアルな触感としては、例えば、カチッとした硬質的な触感、ブルやブニとした軟質的な触感、ブルルといった振動として認知できる触感があげられる。カチッとした硬質的な触感は、例えば、２００Ｈｚ〜５００Ｈｚのサイン波を１周期または矩形波を１周期呈示することにより実現できる。ブルやブニとした軟質的な触感は、例えば、２００Ｈｚ〜５００Ｈｚのサイン波を２又は３周期呈示することにより実現できる。ブルルといった振動として認知できる触感は、例えばサイン波を４周期以上呈示することにより実現できる。
【００３４】
なお、上述したように、本実施の形態に係る入力装置は、タッチパネルを有するものに限定されない。図２（Ｂ）は、タッチパネルを用いずに構成した本実施の形態に係る入力装置１の実装構造の一例を示す図である。なお、図２（Ｂ）は、タッチパネルを用いない場合の入力装置１の要部断面図を示す。
【００３５】
図２（Ｂ）に示す入力装置１においては、利用者は、表示部に表示された入力コードに対して押圧による入力（押圧入力）をするのではなく、物理的に存在するボタンまたはキーに対して押圧入力を行う。このように、タッチセンサ１１を用いない構成においては、荷重検出部１２がタッチセンサ１１を兼ねるものとすることができる。すなわち、この場合、荷重検出部１２が押圧荷重を検出していればタッチセンサ１１に対する入力がオンであるとして扱い、また荷重検出部１２が押圧荷重を検出していなければタッチセンサ１１に対する入力がオフであるとして扱うことができる。なお、それぞれのボタンまたはキーには、予め任意の入力コードが割り振られている必要がある。
【００３６】
図２（Ｂ）に示す例では、入力装置１の筐体（ベース部材）の凹部に荷重検出部１２を設置して、荷重検出部１２の上に触感呈示部１３を配置している。したがって、触感呈示部１３の上側表面は、利用者の押圧入力を直接受け付けることができ、荷重検出部１２は、触感呈示部１３が受け付ける押圧入力の押圧荷重を検出する。また、触感呈示部１３は、荷重検出部１２が検出した押圧荷重に基づいて、適切なタイミングで利用者の指に直接振動を与える。この場合、触感呈示部１３の上側表面はボタンまたはキーなどと同様の働きをするため、利用者の押圧入力を受け付ける触感呈示部１３の形状は、ボタンのキートップの形状とし、そのキートップに当該ボタンの機能などを明記することにより、当該機能を示すことができる。
【００３７】
なお、本実施の形態において、タッチパネルを用いない入力装置１の構造は、図２（Ｂ）に示したような構造に限定されるものではない。本実施の形態においては、入力装置１の入力に係る機能部としては、少なくとも、利用者の押圧による入力の押圧荷重を検出する荷重検出部１２があればよい。したがって、例えば、従来のメカスイッチに荷重検出部１２を付加することにより、あるいはこの機能を有する従来のスイッチを用いることにより、本発明の入力装置の入力に係る機能部を構成することもできる。
【００３８】
図３は、本実施の形態の表示部１４の表示例を表した図である。表示部１４には認証コードを入力するための入力コード「０」〜「９」までの数字が表示されており、利用者はこの入力コードを押圧して、認証コードの入力を行う。図では利用者は入力コード「０」を押圧しており、タッチセンサ１１により入力コード「０」に対する入力が検出される。そして、この時に荷重検出部１２により検出される押圧荷重によって受け付ける認証コードは変化する。例えば、上述したように、押圧荷重が軽い時は第１段階の入力として認証コード「０」を受け付け、押圧荷重が重い時は第２段階の入力として認証コード「０´」を受け付ける。
【００３９】
押圧荷重は、利用者がタッチセンサ１１を押圧する力によって変化するものであり、感覚的に調整するものである。このため、目視することはできない。つまり、利用者本人のみがこの押圧荷重の違い（軽い、重い）を判断することができ、他人には認識されることがないため、制御部１６は荷重検出部１２により検出される押圧荷重によって受け付ける認証コードを変化させることにより、利用者によるタッチセンサ１１への入力操作が他人に見られていたとしても、認証コードの漏えいを防止することができる。
【００４０】
次に、本実施の形態に係る入力装置１の動作について説明する。図４は、本実施の形態に係る入力装置１による認証コードの受け付け処理の流れを説明するフローチャートである。なお、本実施の形態における入力装置１は、利用者により押圧された入力コードと、その際に検出された押圧荷重に基づいて認証コードを入力する装置であり、それぞれの入力コードに対応する荷重基準を複数有している。入力装置１を用いた認証コードの受け付け処理を行うに際し、この入力装置１の利用者は、入力装置１が押圧荷重に応じて少なくとも２段階の複数段階の入力を受け付ける入力装置であることを認識しているものとする。
【００４１】
なお、本実施の形態においては、押圧荷重に応じて２段階で入力を受け付けるものを例に説明を行う。さらに、本実施の形態では、第１段階の入力を受け付ける押圧荷重を設定しているが、例えば、タッチセンサにより入力コードに対する入力が検出された時（押圧荷重≠０Ｎ）とすることも可能である。
【００４２】
まず、入力装置１が不特定多数の利用者により共同利用されるＡＴＭなどである場合は、利用者のカード（キャッシュカードやクレジットカードなど）が入力装置１に挿入される。すると、制御部１６は、カードに記憶されている認証コードを読み込み、記憶部１５に認証コードを記憶させる。なお、入力装置１が特定の利用者のみが利用する個人専用端末などである場合は、予め記憶部１５は認証コードを記憶しているものとする。
【００４３】
入力装置１による認証コード受け付け処理は、タッチセンサ１１により利用者の押圧入力が検出された時点から開始する。入力装置１において、制御部１６は、タッチセンサ１１が表示部１４に表示される入力コードに対する入力を検出したか否かを監視する（ステップＳ１００）。
【００４４】
タッチセンサ１１により、ある入力コードに対する入力が検出されると、制御部１６は、荷重検出部１２により検出される押圧荷重が第１の荷重基準を満たしたか否かを判定する（ステップＳ１０１）。つまり、利用者がタッチセンサ１１のタッチ面を押圧する力を強めることにより押圧荷重が増し、第１の荷重基準を満たしたかを判定する。なお、第１の荷重基準とは、入力コードに対する第１段階の入力を受け付ける際に基準となる所定の押圧荷重の閾値である。この閾値を超える押圧荷重を荷重検出部１２が検出した場合、制御部１６は、入力装置１において規定された第１段階の入力が受け付けられたものとして処理する。また、この第１の荷重基準は、予め設定された所定の押圧荷重を閾値とするが、後から操作者の好みに応じて変更できるようにしてもよい。
【００４５】
ステップＳ１０１において、第１の荷重基準が検出されると、制御部１６は押圧入力がされた入力コードの第１段階の入力が受け付けられたとして処理をする（ステップＳ１０２）。
【００４６】
次に、制御部１５は、荷重検出部１２により押圧荷重が検出されているか否かを監視する（ステップＳ１０３）。つまり、利用者が押圧入力を継続しているか否かということを判断する。押圧入力を継続している場合とは（ステップＳ１０３Ｙｅｓ）、タッチセンサ１１に押圧物が接触しており、荷重検出部１２により押圧荷重が検出されている（押圧荷重≠０Ｎ）状態を示す。また、タッチセンサ１１により入力コードに対する入力が検出されている状態とすることもできる。反対に押圧入力が終了している場合とは（ステップＳ１０３Ｎｏ）、タッチセンサ１１から押圧物を離して押圧入力を止めたことである。つまり、荷重検出部１２により押圧荷重は検出されない状態（押圧荷重＝０Ｎ）、または、タッチセンサ１１により入力コードに対する入力が検出されていない状態を表す。
【００４７】
この段階で、押圧荷重が検出されないと（ステップＳ１０３Ｎｏ）、制御部１６は、入力コードの第１段階の入力に対応する認証コードを受け付ける（ステップＳ１０６）。
【００４８】
荷重検出部１２により押圧荷重が検出されていると（ステップＳ１０３Ｙｅｓ）、制御部１６は、荷重検出部１２により検出される押圧荷重が第２の荷重基準を満たしたか否かを判定する（ステップＳ１０４）。なお、第２の荷重基準とは上述した第１の荷重基準と同様の意味であり、入力コードに対する第２段階の入力を受け付ける際に基準となる所定の押圧荷重の閾値である。
【００４９】
制御部１６は、第２の荷重基準が検出される（ステップＳ１０４Ｙｅｓ）か、押圧入力が検出されなくなる（ステップＳ１０３Ｎｏ）まで、ステップＳ１０３とＳ１０４を繰り返す。そして、荷重検出部１２により検出される押圧荷重が第２の荷重基準を満たすと（ステップＳ１０４Ｙｅｓ）、制御部１６は、入力コードの第２段階の入力が受け付けられたとして処理をする（ステップＳ１０５）。
【００５０】
そして、制御部１６は、ステップＳ１０５にて受け付けられた入力コードの第２段階の入力に対応する認証コードを受け付ける（ステップＳ１０６）。なお、「入力コード´」とは入力コードに対する第２段階の入力ということを表している。
そして、受け付けられた認証コードが、記憶部１５に記憶された認証コードと全て一致すれば、利用者は正当な利用者であると判断される。
【００５１】
図５、６は、図４において説明した認証コードを受け付ける際の押圧荷重の変化の一例を示す図である。なお、図５は第１段階の入力を受け付ける際、図６は第２段階の入力を受け付ける際の押圧荷重の変化を表している。なお、ここでは、説明の便宜上、タッチセンサ１１により入力が検出された入力コードは「２」とする。
【００５２】
図５は、図４において説明したフローチャートのステップＳ１００，Ｓ１０１，Ｓ１０２，Ｓ１０３，Ｓ１０６の処理の際の押圧荷重の変化の一例を表す図である。
【００５３】
タッチセンサ１１により入力コード「２」に対する入力が検出されると同時に、荷重検出部１２により押圧荷重が検出される（ステップＳ１００）。その後、押圧荷重は増加していき（重くなっていき）、Ｐ１の時点で第１の荷重基準（押圧時）を満たすと、制御部１６は入力コード「２」の第１段階の入力として「２」を受け付ける（ステップＳ１０１，１０２）。
【００５４】
この時、触感呈示部１３によりタッチセンサ１１を押圧している押圧物に対して触感を呈示することにより、利用者は第１段階の入力が受け付けられたことを正確に把握することができる。触感は、音や匂いとは異なり、他人（利用者以外の第３者）に認識されることはないため、制御部１６は、触感呈示部１３を制御して触感を呈示することにより、第１段階の入力が受け付けられたことを利用者のみに知らせることができる。これにより、利用者によるタッチセンサ１１への入力操作が他人に見られていたとしても、認証コードの漏えいを防止することができる。
【００５５】
第１段階の入力が受け付けられた後に、利用者がタッチセンサを押圧している力を弱めると、押圧荷重は減少していく（軽くなっていく）。そして、荷重検出部１２により押圧荷重が検出されなくなり、押圧入力が解除されると、制御部１６は、入力コード「２」の第１段階の入力である「２」を認証コードとして受け付ける（ステップＳ１０３，１０６）。
【００５６】
押圧荷重が減少していく段階のＰ１´の時点で、第１の荷重基準（リリース時）を満たすと、触感呈示部１３により押圧物に対して触感を呈示することもできる。実際にメカスイッチなどを押した場合、指には、スイッチを押し込んだ際と、スイッチから指を離す（リリースの）際に触感が伝わっている。このため、押圧時とリリース時の際に、適切な触感を呈示することにより、タッチパネルにおいても、利用者にスイッチを押したようなリアルなクリック感覚を呈示することができる。
【００５７】
また、本実施の形態においては、押圧入力が検出されなくなった時点で認証コードを受け付けているが、この形態に限定されるものではなく、押圧荷重が所定の閾値以下になった場合に認証コードを受け付けるとしてもよい。例えば、上述した第１の荷重基準（リリース時）を下回った時に受け付けてもよい。第１の荷重基準（リリース時）の押圧荷重を検出した際に触感を呈示することにより、利用者は、認証コードが受け付けられたことを正確に把握することができる。また、押圧荷重や触感は、上述したように、利用者のみが把握することが出来る感覚であるため、例え、他人に認証コードを入力する操作を見られていたとしても、認証コードが漏えいすることはない。
【００５８】
次に、図６を用いて第２段階の入力が受け付けられる際の、押圧荷重の変化を説明する。図６は、図４において説明したフローチャートのステップＳ１００，Ｓ１０１，Ｓ１０２，Ｓ１０３，Ｓ１０４，Ｓ１０５，Ｓ１０６の処理の際の押圧荷重の変化の一例を表す図である。
【００５９】
制御部１６が、入力コード「２」の第１段階の入力として「２」を受け付けるまでの処理は、上述した図５のステップＳ１００，Ｓ１０１，Ｓ１０２と同様の処理であるため、説明は省略する。
【００６０】
第１段階の入力コードとして「２」を受け付けた後に、押圧入力が解除されることなく、継続している場合、制御部１６は、押圧荷重が第２の荷重基準を満たすか監視する（ステップＳ０１３，Ｓ１０４）。押圧荷重が増加していき、Ｐ２の時点で第２の荷重基準を満たすと、制御部１６は入力コード「２」の第２段階の入力として「２´」を受け付ける（ステップＳ１０５）。そして、制御部１６は、「２´」を認証コードとして受け付ける（ステップＳ１０６）。
【００６１】
上述したように、制御部１６は、タッチセンサ１１により入力コードに対して入力が検出された際に、入力コードと荷重検出部１２により検出される押圧荷重と、に基づく認証コードを受ける。さらに、制御部１６は、入力コードに対する入力が検出された際に、前記荷重検出部１２により検出される押圧荷重によって認証コードを変化させている。押圧荷重は、利用者がタッチセンサ１１を押圧する力によって変化するものであり、感覚的に調整するものである。このため、目視することはできない。つまり、利用者本人のみがこの押圧荷重の違いを判断することができ、他人には認識されることがないため、制御部１６は荷重検出部１２により検出される押圧荷重によって受け付ける認証コードを変化させることにより、利用者によるタッチセンサ１１への入力操作が他人に見られていたとしても、認証コードの漏えいを防止することができる。
【００６２】
なお、本実施の形態において、第２段階の入力は、第１段階の入力を受け付けた後で受け付けることになるが、例えば、制御部１６では、この受け付けた段階を記憶部１５に記憶していき、最終的に受け付けた入力コードの段階を認証コードとして受け付けたり、新たに入力コードに対する段階を受け付ける度に記憶部１５に上書きしていき、最終的に記憶部１５に記憶されている入力コードの段階を認証コードとして受け付けてもよい。
【００６３】
また、図５の説明の際に上述したように、第２の荷重基準（押圧時）を満たした際にも、触感呈示部１３によりタッチセンサ１１を押圧している押圧物に対して触感を呈示することにより、利用者は第２段階の入力が受け付けられたことを正確に把握することができる。触感は、音や匂いとは異なり、他人（利用者以外の第３者）に認識されることはないため、制御部１６は、触感呈示部１３を制御して触感を呈示することにより、第２段階の入力が受け付けられたことを利用者のみに知らせることができる。これにより、利用者によるタッチセンサ１１への入力操作が他人に見られていたとしても、認証コードの漏えいを防止することができる。
【００６４】
さらに、第１の荷重基準（リリース時）を満たした際に触感を呈示するように、第２の荷重基準（リリース時）を満たした場合にも、触感呈示部１３により押圧物に対して触感を呈示することもできる。これにより、利用者にスイッチを押したようなよりリアルなクリック感覚を呈示することができる。
【００６５】
なお、上述した実施の形態において、呈示する触感は、第１の荷重基準と第２の荷重基準それぞれ同じものを呈示しても良いし、異なるものを呈示しても良い。また、どちらか片方の荷重基準を満たした際に呈示するようにしても良い。
【００６６】
このように、制御部１６は、タッチ面を押圧している押圧物に対して、触感により押圧荷重による認証コードの変化を呈示するように触感呈示部１３を制御する。触感は、音や匂いとは異なり、他人（利用者以外の第３者）に認識されることはないため、制御部１６は、触感呈示部１３を制御して触感を呈示することにより、どの段階の入力が受け付けられたかを利用者のみに知らせることができる。これにより、利用者によるタッチセンサ１１への入力操作が他人に見られていたとしても、認証コードの漏えいを防止することができる。
【００６７】
なお、本発明は、上述した各実施の形態にのみ限定されるものではなく、幾多の変更または変形が可能である。
【００６８】
例えば、本実施の形態では、入力装置１が押圧荷重に応じて２段階の入力を受け付ける入力装置であるとして説明したが、この形態に限定されるものではなく、複数段階の入力を受け付ける装置としても適応可能である。最後の段階の入力以外は上述した第１段階の入力を受け付ける処理を繰り返すことにより実施することができる。最後の段階の入力は上述した第２段階の入力の処理により実施することが可能である。この押圧荷重に応じて受け付ける段階を複数もうけることにより、利用者が何段階目の入力を行ったのか、他人が判断するのはさらに困難となり、秘匿性が高まる。
【００６９】
また、マウスなどの入力デバイスのボタンなどに、押圧荷重に応じて複数段階の入力を受け付ける入力装置を適用することもできる。
【００７０】
なお、上述の説明では、荷重基準の値を「押圧荷重の閾値」に見立て、荷重基準の値に達した場合に「荷重基準を満たす」と判定する態様について説明した。しかしながら、「荷重基準を満たす」と判定できる態様はこれに限定されるものではなく、いくつもの態様を含むことが想定できる。例えば、入力装置１に対する利用者の押圧入力による押圧荷重が上記荷重基準の値を超えた場合に「荷重基準を満たす」と判定することもできる。また、上記荷重基準の値を示す押圧荷重が荷重検出部１２によって検出された場合に「荷重基準を満たす」と判定することもできる。
【符号の説明】
【００７１】
１  入力装置
１１  タッチセンサ
１２  荷重検出部
１３  触感呈示部
１４  表示部
１５  記憶部
１６  制御部
２０  タッチパネル
【図１】
2011070463.tif 000003
【図２】
2011070463.tif 000004
【図４】
2011070463.tif 000005
【図５】
2011070463.tif 000006
【図６】
2011070463.tif 000007
【図７】
2011070463.tif 000008
【図３】
2011070463.tif 000009